(57)【要約】【課題】デジタルカメラ取付による望遠撮影とデジタルカメラ取外しによるアイカップ使用望遠観察との切替を容易にする。【解決手段】望遠鏡７０、１０にデジタルカメラ５０を接続するために望遠鏡に固定されるとともにカメラ側アダプタ６０に着脱自在に接続される望遠鏡側アダプタ４０において、望遠鏡のアイピース１０は、光軸方向へ所定範囲内で進退自在に接眼レンズ保持筒に外嵌されて取り付けられたアイカップ内筒２０を備え、接眼レンズ保持筒はアイカップ内筒より光入射側において外径がアイカップ内筒のそれより大きい中間部である大外径部４２を有し、アダプター４０は、アイポイント側の小内径部４１と、これに連なる大内径部４２とが一体形成され、小内径部４１が止めねじ４５でアイカップ内筒２０に固定され、アダプター４０が止めねじ４７で接眼レンズ保持筒に固定される。【選択図】図３
2006126586.tif 000002
【特許請求の範囲】
【請求項１】
望遠鏡にデジタルカメラを接続するために望遠鏡に固定されるとともにカメラ側アダプタに着脱自在に接続される望遠鏡側アダプタにおいて、該望遠鏡のアイピースは、、光軸方向へ所定範囲内で進退自在に接眼レンズ保持筒に外嵌されて取り付けられたアイカップ内筒を備え、該接眼レンズ保持筒は該アイカップ内筒より光入射側において外径が該アイカップ内筒のそれより大きい中間部である大外径部を有しており、
該アイカップ内筒の先端部が嵌入される第１内径の第１筒部と、
該第１筒部に連なり、該大外径部が嵌入され、該第１内径より大きい第２内径の第２筒部と、
該第１筒部を該アイカップ内筒に固定させるための第１止め具と、
該望遠鏡に該デジタルカメラを接続する際に該第２筒部を該大径部に固定するための第２止め具と
を有することを特徴とするアイカップ外筒兼望遠鏡側アダプタ。
【請求項２】
望遠鏡にデジタルカメラを接続するために望遠鏡に固定されるとともにカメラ側アダプタに着脱自在に接続される望遠鏡側アダプタにおいて、該望遠鏡のアイピースの接眼レンズ保持筒はアイポイント側の小外径部と該小外径部に連なり外径が該小外径部のそれより大きい中間部である大外径部とを有しており、
該小外径部が嵌入され、該接眼レンズ保持筒に対し所定範囲内で進退自在な第１内径の第１筒部と、
該第１筒部に連なり、該大外径部が嵌入され、該第１内径より大きい第２内径の第２筒部と、
該望遠鏡に該デジタルカメラを接続する際に該第２筒部を該大径部に固定するための第２止め具と
を有することを特徴とするアイカップ兼望遠鏡側アダプタ。
【請求項３】
望遠鏡にデジタルカメラを接続するために望遠鏡に固定されるとともにカメラ側アダプタに着脱自在に接続される望遠鏡側アダプタにおいて、
該望遠鏡のアイピースの接眼レンズ保持筒の外径より小さい第１内径を有し、最大後退位置で該接眼レンズ保持筒のアイポイント側の端面と内端面が当接する第１筒部と、
該第１筒部に連なり、該接眼レンズ保持筒が嵌入される第２内径の第２筒部と、
該接眼レンズ保持筒と該第２筒部との一方にカム溝が形成され、該接眼レンズ保持筒と該第２筒部との他方に該カム溝と係合するカムピンが固着され、該接眼レンズ保持筒に対し該第２筒部を所定範囲内で進退自在にさせるカム機構と、
該望遠鏡に該デジタルカメラを接続する際に該第２筒部を該接眼レンズ保持筒に固定させるための第２止め具と
を有することを特徴とするアイカップ兼望遠鏡側アダプタ。
【請求項４】
該第２止め具は、該第２筒部の外周面に直角に貫通する螺孔に螺合する止めねじであり、該止めねじの先端面で該接眼レンズ保持筒の外周面を押圧することにより該第２筒部を該接眼レンズ保持筒に固定させることを特徴とする請求項１乃至３のいずれか１つに記載の望遠鏡側アダプタ。
【請求項５】
少なくとも該第１筒部のアイポイント側の端面を覆うゴムリングをさらに有することを特徴とする請求項１乃至４のいずれか１つに記載の望遠鏡側アダプタ。
【請求項６】
アイピースと、
該アイピースに取り付けられた請求項２又は３に記載のアイカップ兼望遠鏡側アダプタと
を有することを特徴とするアイカップ兼望遠鏡側アダプタ付アイピース。
【請求項７】
請求項６記載のアイカップ兼望遠鏡側アダプタ付アイピースを有することを特徴とする望遠鏡。
【発明の詳細な説明】
【技術分野】
【０００１】
本発明は、望遠鏡にデジタルカメラを接続するために望遠鏡に固定されるとともにカメラ側アダプタに着脱自在に接続されるアイカップ兼望遠鏡側アダプタ並びにこれを備えたアイピース及び望遠鏡に関する。
【背景技術】
【０００２】
望遠鏡のアイピースにアイカップを備えることにより、目とアイピースの間へ入射する外光を遮光することができるとともに、アイカップを目の周囲に当接させるだけで目の瞳をアイポイントに容易に位置決めすることができ、さらに、この当接により望遠鏡を安定させることができる。一方、眼鏡を掛けた観察者にとっては、アイカップがあると目の瞳がアイポイントから離れて視野角が狭くなる。
【０００３】
そこで、下記特許文献１では、光軸方向へ進退自在に接眼レンズ保持筒にアイカップを外嵌し、カムピンとカム溝でアイカップを光軸方向へ進退自在にしている。アイカップは、目の周囲に当接するので、リング状の見切りゴムを備えている。
【０００４】
ところで、デジタルカメラにアダプタを介して望遠鏡を接続することにより、野鳥等を超望遠撮影することが可能となる。このアダプタは、例えば下記特許文献２に開示されているように、カメラの対物レンズに同心にカメラに固定されるカメラ側アダプタと、望遠鏡のアイピースに同心に望遠鏡本体のアイピース着脱部外周に固定される望遠鏡側アダプタとからなり、両アダプタが結合される。
【０００５】
しかしながら、両アダプタの結合を解除し、カメラ側アダプタを望遠鏡から取り外さずに観察しようとすると、望遠鏡側アダプタの直径が大きいので、観察しづらい。
【０００６】
下記特許文献３では、望遠鏡側アダプタをアイピースに取り付ける構成が開示されている。この構成によれば、カメラ側アダプタの直径を小さくすることができる。
【０００７】
しかし、この構成では、特許文献１に示すようなアイカップをアイピースに備えることができない。アイカップをアイピースに備えようとすると、アイカップの外側にアイカップを避けて望遠鏡側アダプタを備えなければならないので、望遠鏡側アダプタの直径が大きくなる。
【特許文献１】特開平９−２２２５６９号公報
【特許文献２】特開２００３−２９８８８６号公報
【特許文献３】特開２００４−０２０７７０号公報
【発明の開示】
【発明が解決しようとする課題】
【０００８】
本発明の目的は、上記問題点に鑑み、望遠鏡側アダプタにアイカップを備える構成により、デジタルカメラ取付による望遠撮影とデジタルカメラ取外しによるアイカップ使用望遠観察との切替を容易にするアイカップ兼望遠鏡側アダプタ並びにこれを備えたアイピース及び望遠鏡を提供することにある。
【課題を解決するための手段】
【０００９】
本発明の第１態様では、望遠鏡にデジタルカメラを接続するために望遠鏡に固定されるとともにカメラ側アダプタに着脱自在に接続される望遠鏡側アダプタにおいて、例えば図２（Ｂ）又は図４（Ｂ）に示す如く、該望遠鏡のアイピースは、、光軸方向へ所定範囲内で進退自在に接眼レンズ保持筒に外嵌されて取り付けられたアイカップ内筒（２０）を備え、該接眼レンズ保持筒は該アイカップ内筒より光入射側において外径が該アイカップ内筒のそれより大きい中間部である大外径部を有しており、
該アイカップ内筒の先端部が嵌入される第１内径の第１筒部と、
該第１筒部に連なり、該大外径部が嵌入され、該第１内径より大きい第２内径の第２筒部と、
該第１筒部を該アイカップ内筒に固定させるための第１止め具と、
該望遠鏡に該デジタルカメラを接続する際に該第２筒部を該大径部に固定するための第２止め具と
を有することを特徴とする。
【００１０】
本発明の第２態様では、望遠鏡にデジタルカメラを接続するために望遠鏡に固定されるとともにカメラ側アダプタに着脱自在に接続される望遠鏡側アダプタにおいて、例えば図５（Ｂ）に示す如く、該望遠鏡のアイピースの接眼レンズ保持筒はアイポイント側の小外径部と該小外径部に連なり外径が該小外径部のそれより大きい中間部である大外径部とを有しており、
該小外径部が嵌入され、該接眼レンズ保持筒に対し所定範囲内で進退自在な第１内径の第１筒部と、
該第１筒部に連なり、該大外径部が嵌入され、該第１内径より大きい第２内径の第２筒部と、
該望遠鏡に該デジタルカメラを接続する際に該第２筒部を該大径部に固定するための第２止め具と
を有する。
【００１１】
本発明の第３態様では、望遠鏡にデジタルカメラを接続するために望遠鏡に固定されるとともにカメラ側アダプタに着脱自在に接続される望遠鏡側アダプタにおいて、例えば図６（Ｂ）に示す如く、
該望遠鏡のアイピースの接眼レンズ保持筒の外径より小さい第１内径を有し、最大後退位置で該接眼レンズ保持筒のアイポイント側の端面と内端面が当接する第１筒部と、
該第１筒部に連なり、該接眼レンズ保持筒が嵌入される第２内径の第２筒部と、
該接眼レンズ保持筒と該第２筒部との一方にカム溝が形成され、該接眼レンズ保持筒と該第２筒部との他方に該カム溝と係合するカムピンが固着され、該接眼レンズ保持筒に対し該第２筒部を所定範囲内で進退自在にさせるカム機構と、
該望遠鏡に該デジタルカメラを接続する際に該第２筒部を該接眼レンズ保持筒に固定させるための第２止め具と
を有する。
【発明の効果】
【００１２】
本発明の第１態様によれば、望遠鏡側アダプタとカメラ側アダプタとの着脱のみで望遠撮影とアイカップ使用望遠観察との切替を容易に行うことができる。
【００１３】
また、市販のアイカップ付アイピースの目切りゴムをアイカップ筒から取り外してこのアイカップ筒をアイカップ内筒として用い、これに上記構成のアイカップ外筒兼望遠鏡側アダプタを冠着することにより、アイカップ兼望遠鏡側アダプタ付アイピースを構成することができる。
【００１４】
本発明の第２態様によれば、上記切替を容易に行うことができるとともに、第１態様のアイカップ内筒が不要であるので構成が簡単である。
【００１５】
本発明の第３態様によれば、第２態様の効果を奏するとともに、第２筒部の内径が接眼レンズ保持筒の外径より小さいので第２態様の場合よりも望遠鏡側アダプタの外径を小さくすることができる。
【発明を実施するための最良の形態】
【００１６】
本発明の他の構成、作用及び効果は、以下の説明から明らかになる。
【００１７】
以下、図面に基づいて本発明の実施例を説明する。図面において、同一又は類似の要素には、同一又は類似の符号を付している。
【実施例１】
【００１８】
実施例１では、市販のアイカップ付アイピースを用いて製作可能なアイカップ兼望遠鏡側アダプタ付アイピースを説明する。
【００１９】
図１（Ａ）は、アイカップ兼望遠鏡側アダプタの一部を備えた望遠鏡用アイピースの一部を示す。図１（Ａ）において、中心線の上側は要部構成を示す一部縦断面図、中心線の下側は外形を示す側面図である。この点は、中心線を記載した他の図についても同様である。
【００２０】
アイカップ兼望遠鏡側アダプタの構成は、係止用突起部、ねじ及びカム機構を除き、光軸に関し回転対称である。この点は、他の全実施例についても同様である。
【００２１】
アイピース本体１０は、中間部１１と、中間部１１の光入射側の係止部１２と、中間部１１のアイレンズ側の小外径部１３とからなる。小外径部１３の外径は中間部１１のそれより小さく、中間部１１と小外径部１３の境界に段差面１４が形成されている。小外径部１３には、アイポイント側からアイカップ内筒２０が外嵌されている。
【００２２】
図１（Ｂ）は、アイカップ内筒２０の側面図である。アイカップ内筒２０は、アイポイント側の前部２１と、前部２１より外径が大きい後部２２とからなり、内径は前部２１と後部２２とで同一である。アイカップ内筒２０の後部２２にカム溝２３が形成され、一方、アイピース本体１０の小外径部１３の外周面に、カム溝２３を通ってカムピン２４が螺着されており、アイカップ内筒２０を回転させることにより、回転の向きに応じてアイカップ内筒２０が光軸方向へ進退する。
【００２３】
段差面１４はアイカップ内筒２０に対するストッパーとして機能しており、図１（Ｃ）は、アイカップ内筒２０を後退させてその後端面を段差面１４に当接させた状態を示す。この状態では、アイカップ内筒２０の先端面がアイピース本体１０の小外径部１３の先端面と同一面内に在る。
【００２４】
アイピース本体１０の中間部１１の小外径部１３側には雄ねじ１１ａが形成され、これに、カバーリング３０の内周面に形成された雌ねじ３１が螺合されている。カバーリング３０は、カム溝２３及びカムピン２４を隠すためのものであり、カバーリング３０の外周面はアイピース本体１０の中間部１１のそれと段差無く連続している。
【００２５】
アイカップ内筒２０の前部２１に、不図示のリング状の目切りゴムを冠着させることにより、この目切りゴムとアイカップ内筒２０とカム溝２３とカムピン２４とからなる通常のアイカップが構成される。
【００２６】
実施例１では、この目切りゴムの替わりに、図２（Ａ）に示すアイカップ外筒兼望遠鏡側アダプター４０が冠着されて、図２（Ｂ）に示す状態となる。
【００２７】
このアダプター４０は、アイポイント側の小内径部４１と、これに連なる大内径部４２とからなり、例えばアルミニウムのパイプ又は円柱を研削することにより形成される。
【００２８】
小内径部４１は、その光軸方向長さがアイカップ内筒２０の前部２１のそれに等しく、内径が前部２１の外径より僅かに大きい。小内径部４１を前部２１に外嵌させると、小内径部４１と大内径部４２の境界の段差面４３の内側が、前部２１と後部２２の境界の段差面２５に当接するとともに、小内径部４１の先端面が前部２１のそれと同一面に在る。
【００２９】
互いに中心角１２０°離れた３箇所に、小内径部４１の外周面から内周面へ螺孔４４が貫設され、それぞれに止めねじ４５が螺入されて、それら先端面が前部２１の外周面を押圧することにより、アイカップ外筒兼望遠鏡側アダプター４０がアイカップ内筒２０に固定される。これにより、アダプター４０を光軸の回りに回転させると、回転の向きに応じてアダプター４０がアイカップ内筒２０と一体的に光軸方向へ進退し、アダプター４０とアイカップ内筒２０とが進退自在なアイカップとして機能する。
【００３０】
すなわち、裸眼の標準的観察者は図２（Ｂ）の状態で目の周囲をアダプター４０の先端面に当てることにより、目の瞳がアイポイントに位置する。眼鏡を掛けた標準的観察者は図２（Ｃ）の状態で目の瞳がアイポイントに位置する。図２（Ｃ）は図１（Ｃ）に対応しており、アダプター４０を最大限後退させた状態を示す。この状態では、アダプター４０の先端面が前部２１及び小外径部１３の先端面と同一面内に在る。
【００３１】
アダプター４０が目の周囲又は眼鏡を傷つけないようにするため、その小内径部４１の先端の外周エッジが研削されて丸められている。
【００３２】
大内径部４２の外端部に螺孔４６が貫設され、これに止めねじ４７が螺入される。
【００３３】
図３（Ａ）は、カメラ５０にカメラ側アダプタ６０が装着された状態を示す。
【００３４】
カメラ５０のズームレンズ５１の基端部外側には、ズームレンズ５１と同心のアダプタリング５２が備えられ、アダプタリング５２の内周面に形成された雌ねじ５３に、カメラ側アダプタ６０の基端部外周面に形成された雄ねじ６１が螺合されている。
【００３５】
図３（Ｂ）は、カメラ側アダプタ６０にアイカップ外筒兼望遠鏡側アダプター４０及びアイピース本体１０を介して望遠鏡本体７０が接続された状態を示す。
【００３６】
図２（Ｃ）のアイカップ兼望遠鏡側アダプタ付アイピースを望遠鏡本体７０に装着し、望遠鏡側アダプター４０をカメラ側アダプタ６０に嵌入して望遠鏡側アダプター４０の前端面４１ａ及び段差面４８をそれぞれカメラ側アダプタ６０の段差面６３及び前端面６２に当接させ、止めねじ４７を回してその先端で溝４９の底面を押圧するすることにより、図３（Ｂ）の状態になってカメラ５０と望遠鏡本体７０との接続が完了する。
【００３７】
この状態で野鳥等を超望遠撮像し、次に望遠鏡のみで観察する場合には、止めねじ６４を緩め、カメラ側アダプタ６０を望遠鏡側アダプター４０から離脱させ、眼鏡を掛けた人はこの状態で観察し、裸眼の人は止めねじ４７を緩め、望遠鏡側アダプター４０を回転させて繰り出した状態で観察する。
【００３８】
超望遠撮影においては、カバーリング３０の先端面の段差面４３への当接と、アイカップ内筒２０の後端面２６の段差面１４への当接と、止めねじ４７によるアイピース本体１０への押圧とにより、アイピース本体１０に対するアダプター４０のガタつきが防止される。
【００３９】
本実施例１によれば、超望遠撮像と望遠観察とでアイカップ兼望遠鏡側アダプターを取り外す必要が無いので、超望遠撮像と望遠観察との一方から他方への切替が容易であり、しかも、望遠観察においてアイカップ着脱動作を行うことなくアイカップを使用できるという効果を奏する。
【実施例２】
【００４０】
図４（Ａ）は、本発明の実施例２のアイカップ外筒兼望遠鏡側アダプター４０Ａを示す。図４（Ｂ）は、このアダプター４０Ａをアイピース本体１０Ａに装着した状態を示す。図４（Ｃ）は、アイカップ内筒２０を後退させてその後端面をアイピース本体１０Ａの段差面１４Ａに当接させた状態を示す。
【００４１】
アダプター４０Ａは、そのアイポイント側の端面に見切りゴム８０が貼着されている。また、アイピース本体１０Ａは、図１（Ａ）のアイピース本体１０からカバーリング３０及びその螺合部を省略した構成となっている。アイピース本体１０Ａは、アイポイントが実施例１のアイピース本体１０のそれより、見切りゴム８０の厚みだけ目側にシフトしたものを用いる。図３（Ａ）のカメラ側アダプタ６０として、大径部の軸方向長さが見切りゴム８０の厚みだけ実施例１の場合よりも長いものを用いる。
【００４２】
超望遠撮影においては、アイカップ内筒２０の後端面２６の段差面１４Ａへの当接と、止めねじ４７によるアイピース本体１０Ａへの押圧とにより、アイピース本体１０Ａに対するアイカップ兼望遠鏡側アダプターのガタつきが防止される。
【００４３】
他の点は、実施例１と同様である。
【実施例３】
【００４４】
図５（Ａ）は、本発明の実施例３のアイカップ兼望遠鏡側アダプター４０Ｂを示す。図５（Ｂ）は、このアダプター４０Ｂをアイピース本体１０Ｂに装着した状態を示す。図５（Ｃ）は、アダプター４０Ｂを後退させて、その小内径部４１Ａと大内径部４２Ａとの境界の段差面４３Ａを、これに対応するアイピース本体１０Ｂの段差面１４Ａに当接させた状態を示す。
【００４５】
市販のアイカップ付アイピースを用いずにアイカップ兼望遠鏡側アダプタ付アイピースを構成するため、アダプター４０Ｂでは、図４（Ｂ）のアイカップ内筒２０とアダプター４０Ａとが一体形成され、かつ、アイカップ内筒２０とアダプター４０Ａとの隙間が省略されるとともに、止めねじ４５が不要になっている。また、小内径部４１Ａの先端部に見切りゴム８０Ａが冠着されている。さらに、カムピン２４が小内径部４１Ａの内周面に螺着され、一方、図１（Ｂ）のカム溝２３に相当するカム溝２３Ａがアイピース本体１０Ｂの小外径部外周面に形成されている。
【００４６】
超望遠撮影においては、アイピース本体１０Ｂの段差面１４Ａへのアダプター４０Ｂの段差面４３Ａの当接と、止めねじ４７によるアイピース本体１０Ｂへの外周面押圧とにより、アイピース本体１０Ｂに対するアダプター４０Ｂのガタつきが防止される。
【００４７】
本実施例３では、上記一体形成により、実施例１及び２よりも構成が簡単である。
【００４８】
他の点は、実施例２と同様である。
【実施例４】
【００４９】
図６（Ａ）は、本発明の実施例４のアイカップ兼望遠鏡側アダプター４０Ｃを示す。図６（Ｂ）は、このアダプター４０Ｃをアイピース本体１０Ｃに装着した状態を示す。図６（Ｃ）は、アダプター４０Ｃを後退させて、その小内径部４１Ｂの段差面４３Ａをアイピース本体１０Ｃの先端面に当接させた状態を示す。
【００５０】
アダプター４０Ｃでは、小内径部４１Ｂの内径がアイピース本体１０Ｃのアイポイント側の外径よりも小さく、また、大内径部４２Ｂの内周面にカムピン２４が螺着されている。アダプター４０Ｃのアイポイント側の端部外径は他の部分の外径よりも小さく、この部分に見切りゴム８０Ｂが冠着されている。
【００５１】
超望遠撮影においては、アダプター４０Ｃの段差面４３Ｂのアイピース本体１０Ｃの先端面への当接と、止めねじ４７によるアイピース本体１０Ｃの外周面押圧とにより、アイピース本体１０Ｃに対するアダプター４０Ｃのガタつきが防止される。
【００５２】
本実施例４では、実施例３の場合よりもアダプター４０Ｃの外径を小さくすることができる。
【００５３】
なお、本発明には外にも種々の変形例が含まれる。
【００５４】
例えば、上記各実施例ではカム機構によりアイピースに対しアイカップが回転しながらスライドする構成を説明したが、カム溝長手方向を光軸と平行にすることによりアイピースに対しアイカップが回転せずにスライドする構成であってもよい。また、アイピース外周面とアイカップ内周面との一方に雄ねじを形成し他方に雌ねじを形成して両者を螺合させることにより、アイピースに対しアイカップが回転しながらスライドする構成であってもよい。なお、「望遠撮影」は超望遠撮影を含む意味である。
【図面の簡単な説明】
【００５５】
【図１】本発明の実施例１に係り、（Ａ）はアイカップ兼望遠鏡側アダプタの一部を備えた望遠鏡用アイピースを示し、中心線の上側は要部構成を示す一部縦断面図、中心線の下側は外形を示す側面図（中心線が記載された他の図についても同様）、（Ｂ）は、図１中のアイカップ内筒の側面図、（Ｃ）は、（Ａ）の状態からアイカップ内筒を最大限後退させた状態を示す図である。
【図２】本発明の実施例１に係り、（Ａ）はアイカップ外筒兼望遠鏡側アダプターを示す図、（Ｂ）は（Ａ）の構成を図１（Ａ）の構成に冠着させた状態を示す図、（Ｃ）は（Ｂ）の状態からアイカップ兼望遠鏡側アダプタを最大限後退させた状態を示す図である。
【図３】本発明の実施例１に係り、（Ａ）はデジタルカメラにカメラ側アダプタが装着された状態を示す図、（Ｂ）は（Ａ）の構成に図２（Ｃ）の構成を介して望遠鏡本体が接続された状態を示す図である。
【図４】本発明の実施例２に係り、（Ａ）はアイカップ外筒兼望遠鏡側アダプターを示す図、（Ｂ）は（Ａ）の構成を、アイカップ内筒を備えた望遠鏡用アイピースに冠着させた状態を示す図、（Ｃ）は（Ｂ）の状態からアイカップ兼望遠鏡側アダプタを最大限後退させた状態を示す図である。
【図５】本発明の実施例３に係り、（Ａ）はアイカップ兼望遠鏡側アダプターを示す図、（Ｂ）は（Ａ）の構成を望遠鏡用アイピースに冠着させた状態を示す図、（Ｃ）は（Ｂ）の状態からアイカップ兼望遠鏡側アダプタを最大限後退させた状態を示す図である。
【図６】本発明の実施例４に係り、（Ａ）はアイカップ兼望遠鏡側アダプターを示す図、（Ｂ）は（Ａ）の構成を望遠鏡用アイピースに冠着させた状態を示す図、（Ｃ）は（Ｂ）の状態からアイカップ兼望遠鏡側アダプタを最大限後退させた状態を示す図である。
【符号の説明】
【００５６】
１０、１０Ａ〜１０Ｃ  アイピース本体
１１  中間部
１１ａ、６１  雄ねじ
１２  係止部
１３  小外径部
１４、１４Ａ、２５、４３、４３Ａ、４３Ｂ、４８、６３  段差面
２０  アイカップ内筒
２１  前部
２２  後部
２３、２３Ａ  カム溝
２４  カムピン
２６  後端面
３０  カバーリング
３１、５３  雌ねじ
４０、４０Ａ〜４０Ｃ  アイカップ外筒兼望遠鏡側アダプター
４０Ｂ、４０Ｃ  アイカップ兼望遠鏡側アダプター
４１、４１Ａ、４１Ｂ  小内径部
４１ａ  前端面
４２、４２Ａ  大内径部
４４、４６  螺孔
４５、４７、６４  止めねじ
４９  溝
５０  カメラ
５１  ズームレンズ
５２  アダプタリング
６０  カメラ側アダプタ
６２  前端面
７０  望遠鏡本体
８０、８０Ａ、８０Ｂ  見切りゴム
【図１】
2006126586.tif 000003
【図２】
2006126586.tif 000004
【図３】
2006126586.tif 000005
【図４】
2006126586.tif 000006
【図５】
2006126586.tif 000007
【図６】
2006126586.tif 000008